(57)【要約】【課題】折り畳み傘を収容する傘袋であって、二段階以上に閉じた折り畳み傘の出し入れが容易にでき、且つ傘の収容に拘らず携帯性に優れる折り畳み傘の傘袋を提供する。【解決手段】折り畳み傘を収容する傘袋１であって、前記折り畳み傘を収容するための開口部２ａが形成され、前記開口部２ａ側に持ち手部３を有する袋体２と、前記袋体２の側端部において前記開口部２ａから袋体２の縦方向に沿って設けられたスライドファスナー５と、前記スライドファスナー５を開くことによって広がる襠部２ｂとを備え、前記開口部２ａは、前記襠部２ｂが広がることによって、より大きく開口する。【選択図】図１
0003125929.tif 000002
【実用新案登録請求の範囲】
【請求項１】
折り畳み傘を収容する傘袋であって、
前記折り畳み傘を収容するための開口部が形成され、前記開口部側に持ち手部を有する袋体と、
前記袋体の側端部において前記開口部から袋体の縦方向に沿って設けられたスライドファスナーと、
前記スライドファスナーを開くことによって広がる襠部とを備え、
前記開口部は、前記襠部が広がることによって、より大きく開口することを特徴とする折り畳み傘の傘袋。
【請求項２】
前記袋体の側面には、相互に嵌合する少なくとも一対の留め具が、該袋体の縦方向に沿って設けられていることを特徴とする請求項１に記載された折り畳み傘の傘袋。
【請求項３】
前記袋体の開口部側には、該開口部を絞る締め紐が設けられていることを特徴とする請求項１または請求項２に記載された折り畳み傘の傘袋。
【考案の詳細な説明】
【技術分野】
【０００１】
本考案は、折り畳み傘を収容するための傘袋に関する。
【背景技術】
【０００２】
雨の日に電車、バスに乗る際、或いはデパート、スーパー等の店舗に入る際等には、濡れた傘を傘袋に入れて持ち歩くのが好ましい。しかしながら、傘袋は傘に最初から付属しているとは限らず、傘と共に携帯している人は少ない。
このため、店舗等の入口には、濡れた傘を収容するための使い捨ての傘袋として、薄く細長いビニール袋が用意され、多くの人はこれを利用している。ところが、この使い捨ての傘袋は、どの施設にも設置しているとは限らず、設置していない場合には、多くの人は濡れた傘をそのまま持ち歩くことになる。
【０００３】
このような状況を鑑み、特許文献１には安価で携帯性の高い傘袋について開示されている。即ち、安価に提供され、携帯性に優れる傘袋を各人が持ち歩けば、前記の使い捨ての傘袋が設置していなくても、濡れた傘を直ぐに収容することができる。
【特許文献１】特開平９−２５２８１７号公報
【考案の開示】
【考案が解決しようとする課題】
【０００４】
しかしながら、店舗等の入口に設置されている使い捨ての傘袋や特許文献１に開示の傘袋は、長傘用に作られたものであり、折り畳み傘の収容については全く考慮されていない。即ち、使用した折り畳み傘を二段階以上に閉じた直ぐの状態では、傘全体が太い状態であるため、前記傘袋に収容することができないという問題があった。
また、折り畳み傘に通常付属している傘袋は、折り畳み傘をきれいに折り畳んだ状態で収容するように作られているため、使用直後に簡易的に２段階以上に閉じた状態の折り畳み傘、即ち太い状態に折り畳まれた傘を収容するのは困難であった。
【０００５】
本考案は、前記したような事情の下になされたものであり、折り畳み傘を収容する傘袋であって、二段階以上に閉じた折り畳み傘の出し入れが容易にでき、且つ傘の収容に拘らず携帯性に優れる折り畳み傘の傘袋を提供することを目的とする。
【課題を解決するための手段】
【０００６】
前記した課題を解決するため、本考案に係る折り畳み傘の傘袋は、折り畳み傘を収容する傘袋であって、前記折り畳み傘を収容するための開口部が形成され、前記開口部側に持ち手部を有する袋体と、前記袋体の側端部において前記開口部から袋体の縦方向に沿って設けられたスライドファスナーと、前記スライドファスナーを開くことによって広がる襠部とを備え、前記開口部は、前記襠部が広がることによって、より大きく開口することに特徴を有する。
【０００７】
このような構成によれば、スライドファスナーを開けることによって襠部が広がり、開口部を大きく開口させることができる。したがって、使用直後の濡れた折り畳み傘が２段階以上に折り畳まれ太くなった状態であっても、袋体の開口部が大きく開口しているため、容易に袋体の中に収容することができる。
また、前記袋体の開口部側に持ち手部が設けられているため、折り畳み傘の収容に拘らず容易に持ち歩くことができる。
【０００８】
また、前記袋体の側面には、相互に嵌合する少なくとも一対の留め具が、該袋体の縦方向に沿って設けられていることが望ましい。
このように少なくとも一対の留め具を設けることによって、傘未収容時には袋体をコンパクトな状態にすることができ、より携帯性を向上することができる。
【０００９】
また、前記袋体の開口部側には、該開口部を絞る締め紐が設けられていることが望ましい。
このように締め紐を設けることにより、袋体の中に折り畳み傘を収容後、締め紐によって袋体の口を絞ることができ、袋体の中でしっかりと傘を保持した状態で携帯することができる。
【考案の効果】
【００１０】
本考案によれば、折り畳み傘を収容する傘袋であって、二段階以上に閉じた折り畳み傘の出し入れが容易にでき、且つ傘の収容に拘らず携帯性に優れる折り畳み傘の傘袋を得ることができる。
【考案を実施するための最良の形態】
【００１１】
以下、本考案の実施の形態を図面に基づき説明する。図１は本考案の折り畳み傘の傘袋の斜視図であり、傘未収容時の状態を示している。図２は、図１の状態からコンパクトに折り畳んだ状態を示す図である。
【００１２】
図１，２に示す傘袋１は、表裏面が防水性の布地により形成された袋体２と、袋体２の開口部２ａに取り付けられた紐状の持ち手部３と、袋体２の口を絞るための締め紐４とを有する。
図示するように袋体２の側端部には、スライドファスナー５が袋体２の縦方向に沿って設けられ、スライドファスナー５を開けることによって広がる襠部２ｂが形成されている。尚、図１に示すように、スライドファスナー５を閉じた状態においては、襠部２ｂは袋内側に折れた状態（折襠の状態）となされる。
【００１３】
また、図１に示すように、袋体２の一方の側面には、袋体２の縦方向に沿って、受け孔と突起により相互に嵌合する二対のホック６、７（留め具）が取り付けられている。即ち、傘未収容時においてはホック６とホック７を嵌合することにより、図２のように袋体２をコンパクトにすることができ、携帯性が向上するように構成されている。
【００１４】
また、締め紐４の先端には、面ファスナー４ａが設けられており、締め紐４の根元周辺で、面ファスナー４ａを留める（固定する）ことが可能になされている。このため、図２に示すように、傘未収容時には、袋体２の周囲に締め紐４を廻した状態で携帯できるように構成されている。
尚、図２に示す状態においては、持ち手部２の長さを変えることにより、手提げ或いは肩掛け状態で使用してもよい。また、袋体２をビニール或いは防水加工した布で形成することにより、鞄の中に収容して携帯してもよい。
【００１５】
図３は、図１の傘袋１の開口部２ａを上方から見た図である。図４は、図３に示す傘袋１の状態からスライドファスナー５を開いた状態を示す図である。
図３の状態からスライドファスナー５を開くと前記したように襠部２ｂが広がるため、図４に示すように開口部２ａをさらに大きく開口させることができる。
したがって、図５に示すように、２段以上に閉じられて太くなり、濡れた状態の折り畳み傘２０を開口部２ａから容易に袋体２の中に収容することが可能となる。さらに、図６に示すように、締め紐４によって袋体２の口を絞ることによって袋体２の中でしっかりと保持することができる。
【００１６】
尚、折り畳み傘２０の収容後、スライドファスナー５を閉じれば、さらにコンパクトな状態で携帯することができる。
また、折り畳み傘２０の収容後は、持ち手部３を用いて、手提げ或いは肩掛け状態で容易に持ち歩くことができる。
【００１７】
また、袋体２から折り畳み傘２０を出して再び使用する場合、締め紐４を外し、スライドファスナー５を開くことによって、大きく開口した開口部２ａから容易に折り畳み傘２０を取り出すことができる。
その際、傘袋１は、傘を収容したことによって多少濡れた状態であっても、袋体２０のスライドファスナー５を閉じ、ホック６とホック７を嵌合することによって、図２に示した状態のように容易にコンパクトにすることができ、持ち手部３を用いて携帯すれば、煩わしさを軽減することができる。
【００１８】
以上の本考案の傘袋１に係る実施の形態によれば、袋体２の側端部に、スライドファスナー５を開けることによって広がる襠部２ｂが形成される。即ち、スライドファスナー５を開けることによって襠部２ｂが広がり、開口部２ａを大きく開口させることができる。したがって、使用直後の濡れた折り畳み傘が２段以上に折り畳まれ太くなった状態であっても、袋体２の開口部２ａが大きく開口しているため、容易に袋体２の中に収容することができる。
また、袋体２の中に収容後、さらに締め紐４によって袋体２の口を絞ることによって、袋体２の中でしっかりと折り畳み傘２０を保持した状態で携帯することができる。また、スライドファスナー５を閉めることによって、さらにコンパクトな状態とすることができる。
【産業上の利用可能性】
【００１９】
本考案は、折り畳み傘の傘袋に関するものであり、傘関連商品の製造業界において好適に利用され得る。
【図面の簡単な説明】
【００２０】
【図１】図１は本考案の折り畳み傘の傘袋の斜視図であり、傘未収容時の状態を示す図である。
【図２】図２は、本考案の傘袋をコンパクトに折り畳んだ状態を示す図である。
【図３】図３は、本考案の傘袋の開口部を上方から見た図である。
【図４】図４は、図３に示す傘袋の状態からスライドファスナーを開いた状態を示す図である。
【図５】図５は、本考案の傘袋に折り畳み傘を収容する際の状態を示す図である。
【図６】図６は、本考案の傘袋に折り畳み傘を収容した後の状態を示す図である。
【符号の説明】
【００２１】
１          傘袋
２          袋体
２ａ        開口部
２ｂ        襠部
３          持ち手部
４          締め紐
５          スライドファスナー
６          ホック（留め具）
７          ホック（留め具）
【図１】
0003125929.tif 000003
【図２】
0003125929.tif 000004
【図３】
0003125929.tif 000005
【図４】
0003125929.tif 000006
【図５】
0003125929.tif 000007
【図６】
0003125929.tif 000008